(57)【要約】【課題】ステージ部から遊技球が入賞口へ入賞する期待感を向上させて、遊技の趣向性を一層向上させることができるパチンコ遊技機を提供すること。【解決手段】パチンコ遊技機１は、センター役物１６が、遊技球Ｂを上流側から下流側まで転動させるステージ部１９と、遊技球を、ステージ部に開口させた流入口５０，５５から流入させ、流出口５１から入賞口へ向けて流出可能な入賞補助通路４９と、ステージ部における遊技球の転動する下流側に配置されて、ステージ部の前縁からセンター役物１６外へ排出可能な排出路４４と、ステージ部に遊技球を入球させる入球口１７と、を備える。流入口は、常時開口する開放流入口５０と、開閉を繰り返して開口時に遊技球を流入可能としかつ閉口時に遊技球を流入不能とする開閉流入口５５と、を備えて構成される。【選択図】図４
2010017312.tif 000002
【特許請求の範囲】
【請求項１】
センター役物が、
遊技球を上流側から下流側まで転動させるステージ部と、
遊技球を、前記ステージ部に開口させた流入口から流入させ、流出口から入賞口へ向けて流出可能とする入賞補助通路と、
前記ステージ部における遊技球の転動する下流側に配置されて、前記ステージ部の前縁から遊技球をセンター役物外へ排出可能な排出路と、
前記ステージ部に遊技球を入球させる入球口と、
を備えて構成されるパチンコ遊技機であって、
前記流入口が、常時開口する少なくとも一つの開放流入口と、開閉を繰り返して開口時に遊技球を流入可能としかつ閉口時に遊技球を流入不能とする少なくとも一つの開閉流入口と、を備えて構成されていることを特徴とするパチンコ遊技機。
【請求項２】
前記開放流入口が、前記ステージ部における遊技球の転動する上流側に配設されるとともに、前記開閉流入口が、前記開放流入口より遊技球の転動する下流側に配設されていることを特徴とする請求項１に記載のパチンコ遊技機。
【請求項３】
前記ステージ部が、遊技球の転動する上流側となる上ステージと、該上ステージの下方に配置されて、遊技球の転動する下流側となる下ステージと、の少なくとも二つのステージを備えるとともに、
前記開放流入口が、前記上ステージ側に配設され、
前記センター役物が、
前記下ステージ側の遊技球を受け止めて、前記開放流入口に流入可能とする前記上ステージ側に移送可能に、移送動作を繰り返すリフトと、
前記開放流入口に流入しなかった遊技球を、前記上ステージから前記下ステージにおける前記リフトの遊技球の受止エリアまで転動させて戻し可能な戻しルートと、
を備えて構成され、
前記開閉流入口が、閉口時に、遊技球を前記リフトの受止エリアに転動可能に、前記下ステージ側に配設されていることを特徴とする請求項２に記載のパチンコ遊技機。
【請求項４】
前記開閉流入口が、前記リフトの移送動作に伴って開閉するように、開口面を前記リフトに配設させていることを特徴とする請求項３に記載のパチンコ遊技機。
【請求項５】
前記入賞補助通路が、前記開閉流入口から前記流出口まで、前記リフトの下側で、前後方向に貫通するように配設されて、
前記リフトが、
上面側を遊技球を支持する支持面とし、
最下降時に、前記下ステージを転動する遊技球を前記支持面に受け入れ可能で、かつ、最上昇時に、前記支持面で支持した遊技球を、前記開放流入口側における前記開放流入口若しくは前記開放流入口に隣接する前記上ステージの戻しルートのエリア、に転動可能な位置に配置させるように、前記支持面を上下往復移動させる構成として、
前記開放流入口の前側に配置され、
前記開閉流入口が、前記リフトの最上昇位置への配置時に開口され、前記リフトの下降時に前記下ステージに隠れるように、前記リフトの前面側に配置されるとともに、前記入賞補助通路の前記流出口側の部位に上方側から連通するように、配設されていることを特徴とする請求項４に記載のパチンコ遊技機。
【請求項６】
前記リフトの前側における前記下ステージの前後の部位に、前記下ステージから落下させて前記排出路を構成する前下がりの傾斜面と、遊技球を前記リフトに案内可能な後下がりの案内面と、が配設されていることを特徴とする請求項５に記載のパチンコ遊技機。
【請求項７】
前記リフトが、下部に前記入賞補助通路の内周側に延びて、前記入賞補助通路内の遊技球を減速させて前記流出口側へ案内可能に、遊技球に接触する干渉部、を備えて構成されていることを特徴とする請求項５若しくは請求項６に記載のパチンコ遊技機。
【発明の詳細な説明】
【技術分野】
【０００１】
本発明は、センター役物が、ステージ部を転動する遊技球を、ステージ部に開口させた流入口から流入させ、流出口から入賞口へ向けて流出可能とする入賞補助通路、を備えて構成されるパチンコ遊技機に関する。
【背景技術】
【０００２】
従来、パチンコ遊技機では、ステージ部を転動する遊技球を、ステージ部の下方に位置した入賞口に入り易くステージ部から落下させるように、遊技球の流入口と流出口とを有して、ステージ部の下方側で貫通して配設される入賞補助通路を、センター役物に設けたものが知られている（例えば、特許文献１参照）。
【０００３】
このセンター役物では、周囲に配置された飾り枠体の入球口から遊技球がステージ部に流入した際、ステージ部の左右方向の中央に開口した流入口に、遊技球が流入すれば、その遊技球が、ステージ部の下方に位置した入賞口の上方で開口した流出口から、入賞確率を高めて、入賞口側へ落下することとなっていた。
【０００４】
また、入賞補助通路の流入口が、開閉扉に覆われ、開閉扉に載った遊技球が、その重量で開閉扉をあけて、入賞補助通路の流出口から、入賞確率を高めて、入賞口側へ落下するパチンコ遊技機もあった（例えば、特許文献２参照）。
【０００５】
なお、入賞補助通路は、流出口をステージ部の下方に位置した入賞口の上方で開口させて、流入口から流入した遊技球を、入賞口へ入り易くするように流出口から流出させるものであり、このような入賞口は、デジパチ等での抽選を開始する始動入賞口等であり、入球によって遊技者に特典を与えることとなる。
【特許文献１】特開２００１−１５７７４２号公報
【特許文献２】特開２００６−１４９９２４号公報
【発明の開示】
【発明が解決しようとする課題】
【０００６】
しかし、従来のパチンコ遊技機では、これらの流入口への流入を逃せば、リフト等を利用して遊技球をステージ部上で循環させるループ動作を行う構成でないい限り、入賞口への入賞確率が殆ど無いステージ部の排出路から、遊技球を落下させていた。そのため、入賞補助通路へ遊技球を流入させる際に、一層、遊技者にハラハラドキドキさせる遊技の趣向性に関し、改善の余地があった。
【０００７】
本発明は、上述の課題を解決するものであり、ステージ部から遊技球が入賞口へ入賞する期待感を向上させて、遊技の趣向性を一層向上させることができるパチンコ遊技機を提供することを目的とする。
【課題を解決するための手段】
【０００８】
本発明に係るパチンコ遊技機は、センター役物が、
遊技球を上流側から下流側まで転動させるステージ部と、
遊技球を、ステージ部に開口させた流入口から流入させ、流出口から入賞口へ向けて流出可能とする入賞補助通路と、
ステージ部における遊技球の転動する下流側に配置されて、ステージ部の前縁から遊技球をセンター役物外へ排出可能な排出路と、
ステージ部に遊技球を入球させる入球口と、
を備えて構成されるパチンコ遊技機であって、
流入口が、常時開口する少なくとも一つの開放流入口と、開閉を繰り返して開口時に遊技球を流入可能としかつ閉口時に遊技球を流入不能とする少なくとも一つの開閉流入口と、を備えて構成されていることを特徴とする。
【０００９】
本発明に係るパチンコ遊技機では、常時開口する少なくとも一つの開放流入口と、開閉を繰り返して開口時に遊技球を流入可能としかつ閉口時に遊技球を流入不能とする少なくとも一つの開閉流入口と、の二種類の流入口を備えて構成されており、入球口を経て入球したステージ部上の遊技球が、一方の流入口に流入しなくとも、他方の流入口に流入可能となり、入賞補助通路への遊技球の流入の期待感を向上させることができる。
【００１０】
そして、二種類の流入口の一方が、常時開口する開放流入口と相違して、開閉を繰り返して開口時に遊技球を流入可能としかつ閉口時に遊技球を流入不能とする開閉流入口としている。すなわち、この開閉流入口は、常時開口している訳ではなく、開閉を繰り返しており、開口時のタイミングに遊技球が開口面に位置しなければ、入賞補助通路内に流入しないことから、遊技球が開閉流入口を通過する際に、遊技者にハラハラドキドキさせることとなる。
【００１１】
したがって、本発明に係るパチンコ遊技機では、開閉流入口により、ステージ部から遊技球が入賞口へ入賞する期待感を向上させることができるとともに、開閉流入口の開閉のタイミングによって、遊技者にハラハラドキドキさせることとなって、遊技の趣向性を一層向上させることができる。
【００１２】
そして、開閉流入口は、開放流入口より遊技球の転動する上流側に配設させてもよいが、好ましくは、開放流入口より遊技球の転動する下流側に配設させることが望ましい。なぜなら、ステージ部上を転動する遊技球が、開放流入口に流入せずに、下流側の開閉流入口の部位に転動してくる際、開閉流入口に流入しなければ、排出路から排出される可能性が高まり、そして、開口時の開閉流入口へ流入すれば、排出路からの排出を防止されることとなって、開閉流入口の開閉動作が注目され、一層、遊技者にハラハラドキドキさせることができ、遊技の趣向性を一層向上させることができる。
【００１３】
この場合、ステージ部が、遊技球の転動する上流側となる上ステージと、上ステージの下方に配置されて、遊技球の転動する下流側となる下ステージと、の少なくとも二つのステージを備えていれば、開放流入口は、上ステージ側に配設させ、さらに、
センター役物は、
下ステージ側の遊技球を受け止めて、開放流入口に流入可能とする上ステージ側に移送可能に、移送動作を繰り返すリフトと、
開放流入口に流入しなかった遊技球を、上ステージから下ステージにおけるリフトの遊技球の受止エリアまで転動させて戻し可能な戻しルートと、
を設けて構成し、
開閉流入口は、閉口時に、遊技球をリフトの受止エリアに転動可能に、下ステージ側に配設させてもよい。
【００１４】
このような構成では、遊技球が、上ステージの開放流入口に流入せず、また、下流側の下ステージの開閉流入口にも流入しなかった場合でも、開放流入口への流入を可能に、リフトにより、再度、上ステージ側に移送されて、開放流入口への流入、あるいは、開放流入口に流入しなくとも、戻しルートを経て、開閉流入口への流入の可能性が生じ、さらに、リフトが移送動作を繰り返して、上記の戻しルートを利用して、遊技球が、排出路から排出する場合を除いて、ループ動作で入賞補助通路へ流入する可能性が生じ、遊技者に、入賞口への入賞の期待感を、一層、与えることができ、遊技の趣向性が向上する。
【００１５】
さらにこの場合、開閉流入口が、リフトの移送動作に伴って開閉するように、開口面をリフトに配設させていれば、リフトの上ステージ側への移送動作中に、開口面を開口させることとなり、リフトで上ステージ側に移送されなかった下ステージ側の遊技球を、開閉流入口から入賞補助通路へ流入させることが可能となる。そして、この開口面が開口して閉じるまでの間のリフトの移送動作中に、下ステージを転動する遊技球が開閉流入口に流入するか否かと、遊技者にハラハラドキドキさせることとなって、遊技の趣向性を向上させることができる。
【００１６】
この場合のリフトとしては、回転するロータに遊技球を保持可能なマグネット、バケット、羽根等を設けた循環回転タイプや、遊技球を載せて支持する支持面を上下往復移動させる上下往復移動タイプが例示できるが、上下往復移動タイプのリフトを使用すれば、遊技球が通過可能な遊技球の略直径寸法分より僅かに大きな前後方向の幅寸法として、リフトを構成でき、開閉流入口を設けたリフトを、コンパクトにステージ部に配設することができ、前後方向の幅寸法に制限のあるステージ部に好適となる。ちなみに、循環回転タイプのリフトを使用する場合には、遊技球が通過する通路を確保するように、少なくとも、遊技球の直径寸法の少なくとも２倍程度以上の直径寸法となり、さらに、遊技球を移送するためのマグネットやバケット等を設けるスペースを考慮すれば、前後方向の占有スペースが大きくなってしまう。
【００１７】
そして、上下往復移動タイプのリフトを使用する場合には、入賞補助通路は、開閉流入口から流出口まで、リフトの下側で、前後方向に貫通するように配設させる。そして、リフトは、上面側を遊技球を支持する支持面として、最下降時に、下ステージを転動する遊技球を支持面に受け入れ可能で、かつ、最上昇時に、支持面で支持した遊技球を、開放流入口側における開放流入口若しくは開放流入口に隣接する上ステージの戻しルートのエリア、に転動可能な位置に配置させるように、支持面を上下往復移動させる構成として、開放流入口の前側に配置させる。そして、開閉流入口は、リフトの最上昇位置への配置時に開口され、リフトの下降時に下ステージに隠れるように、リフトの前面側に配置するとともに、入賞補助通路の流出口側の部位に上方側から連通するように、配設すればよい。
【００１８】
この場合、リフトの前側における下ステージの前後の部位には、下ステージから落下させて排出路を構成する前下がりの傾斜面と、遊技球をリフトの支持面側に案内可能な後下がりの案内面と、を配設することが望ましい。
【００１９】
このような構成では、下ステージを遊技球が転動する際、遊技球が、案内面を経てリフトに載るか、あるいは、排出路を経て下ステージから落下するかと、遊技者にハラハラドキドキさせることとなって、一層、遊技の趣向性を向上させることができる。
【００２０】
さらに、上下往復移動するリフトには、下部に、入賞補助通路の内周側に延びて、入賞補助通路内の遊技球を減速させて流出口側へ案内可能に、遊技球に接触する干渉部、を設けることが望ましい。
【００２１】
このような構成では、入賞補助通路を通過する遊技球が、干渉部に接触して減速するため、流出口から流出する遊技球が、入賞口への入賞確率を高めることができ、このため、開放流入口や開閉流入口の流入口の存在感を高めて、流入口へ入るか否かと一層遊技者にハラハラドキドキさせることができ、遊技の趣向性を向上させることができる。そしてまた、このような構成では、流入口へ流入した遊技球に接触させて遊技球を減速させる干渉部を、上下動を繰り返すリフトに、設けており、別途、干渉部を配設しなくともよく、部品点数を少なく構成できる。そして特に、干渉部が、上下動を繰り返すリフトに配設されていれば、干渉部の遊技球に接触するタイミングや接触の程度を、リフトの上下動に伴って種々設定でき、遊技球の減速の有無や減速の程度の調整や設定を、容易に行うことができる。例えば、干渉部が、リフトの上下動に伴って、通過時の遊技球に対する減速状態を変動可能に、遊技球に対する接触抵抗を上下にわたって変化させるように、配設されていれば、遊技球の減速の有無や減速の程度の調整や設定を、容易に行うことができる。また例えば、干渉部を、遊技球の前面側を受け止め可能に構成して、リフトの下降時に、干渉部を遊技球の前面側から離脱させるように下降移動させたり、あるいは、リフトの上昇時に、干渉部を遊技球の前面側から離脱させるように上昇移動させる構成とすれば、遊技球を、干渉部で受け止めて停止させるように減速させ、その後、流出口側へ転動させることができて、流出口から流出する遊技球の速度を、入賞口への入賞確率をより高めるように、安定させることができる。
【発明を実施するための最良の形態】
【００２２】
以下、本発明の一実施形態を図面に基づいて説明すると、実施形態のパチンコ遊技機（以下、単に遊技機と略す）１では、図１に示すように、遊技盤面２における外側レール３と内側レール４とで囲まれた遊技領域５を備え、遊技領域５には、その中央に、飾り枠体１３に囲まれてセンター役物１６が配設されている。センター役物１６の後方には、液晶等で所定の図柄を表示する図柄表示装置１４が配設されている。
【００２３】
遊技領域５の飾り枠体１３の周囲には、図示しない釘、風車６、普通入賞口７、賞球の無い入賞口８、始動入賞口９、電動チューリップ１０、大入賞口１１、アウト口１２等の公知の部材が配設されて、図示しないハンドルを操作し、遊技球を外側レール３と内側レール４との間から遊技領域５に打ち出せば、遊技球は、普通入賞口７、賞球の無い入賞口８、始動入賞口９、電動チューリップ１０、大入賞口１１、アウト口１２のいずれかに入球する。そして、遊技球が、普通入賞口７や開放時の大入賞口１１に入賞すれば、所定数の遊技球を獲得でき、入賞口８に入賞すれば、抽選により電動チューリップ１０を所定時間若しくは所定回数開放させることとなる。また、遊技球が、始動入賞口９や開放時の電動チューリップ１０に入賞すれば、抽選により、大当たり、中当たり、小当たり等の当たりや外れが決定され、当たりとなれば、大入賞口１１を、その当たりに応じて開放時間、開放回数、入賞個数等を制限して、開放することとなる。これらの作動や遊技フローは、公知のものであり、遊技盤面２の背面側に配置された図示しないメイン制御基板が、入賞時のセンシングに基づき、各種の作動信号を出力し、そして、メイン制御基板からの当たりや外れ等の抽選結果に基づいて、図示しないサブ制御基板が、所定数の遊技球を払い出したり、所定のランプやスピーカ等を作動させつつ、所定の演出を図柄表示装置１４に表示することとなる。
【００２４】
そして、飾り枠体１３で囲まれた実施形態のセンター役物１６は、図２に示すように、ステージ部１９、ワープ通路１７、入賞補助通路４９、及び、リフト６０を配設させて構成されている。ステージ部１９は、飾り枠体１３の下枠１３ａ側に配置されて、遊技球Ｂを上面側でそれぞれ転動可能な上ステージ２０と上ステージ２０の下方に配置される下ステージ３２との少なくとも二つのステージ２０，３２を有して構成されている。なお、実施形態では、図柄表示装置１４に近い後部側に上ステージ２０が配設され、下ステージ３２が、前部側に配置されている。
【００２５】
ワープ通路１７は、図１，２に示すように、ステージ部１９への遊技球Ｂの入球口となるもので、飾り枠体１３におけるステージ部１９の上方側の左枠１３ｂ側で開口した入口１７ａから入る遊技球Ｂを、ステージ部１９の上ステージ２０の左縁側に転動可能に案内するように、配設されている。
【００２６】
入賞補助通路４９は、図１，２，４に示すように、流出口５１を下ステージ３２の下方に位置した始動入賞口９の上方で開口させ、また、遊技球Ｂを流入させる流入口として、開放流入口５０と開閉流入口５５との二種類を設けて構成されている。開放流入口５０は、常時開口しているもので、上ステージ２０の左右方向の中央付近に開口されている。開閉流入口５５は、開閉を繰り返して開口時に遊技球Ｂを流入可能とし、かつ、閉口時に遊技球Ｂを流入不能とするものである。実施形態の場合、開閉流入口５５は、上下往復移動するリフト６０の前面側に開口され、そして、リフト６０の上昇時に開口し、リフト６０の下降時に、下ステージ３２に隠れて閉口することとなる。そして、入賞補助通路４９は、開放流入口５０や開閉流入口５５から流入した遊技球Ｂを、自重により、流出口５１まで転動させ、流出口５１から、始動入賞口９へ流出可能として、始動入賞口９への入賞を補助するために配設されている。この入賞補助通路４９は、図６に示すように、上ステージ２０の左右方向の中央付近に配置された開放流入口５０から、上ステージ２０の背面、下方、さらに、下ステージ３２の左右方向の中央の下方に位置する流出口５１まで、前後方向に沿った略Ｌ字状の通路として構成されている。さらに、実施形態の場合、入賞補助通路４９における流出口５１側の部位が、前後方向に沿って前下がりの直線状とした流出側通路５２としており、この流出側通路５２には、上方のリフト６０側に延びる分岐通路５３が配設されている。この分岐通路５３は、リフト６０に設けた開閉流入口５５から流入した遊技球Ｂを、分岐通路５３に流入させて、さらに、分岐通路５３を経て流出側通路５２に流入させ、そして、流出口５１から始動入賞口９側へ流出可能とするように、構成されている。ちなみに、実施形態の場合、流出側通路５２の上部側の周壁がリフト６０により構成されて、リフト６０の上昇に伴って開閉流入口５５が上方に移動しつつ開口する際に、開閉流入口５５から流出側通路５２までのリフト６０内を通過する部位として、分岐通路５３が上下方向に沿って長く形成される構成としている。
【００２７】
そして、ステージ部１９の上ステージ２０は、図２，３に示すように、上面側で遊技球Ｂを転動可能な上転動面２１を備え、上転動面２１は、左右方向の中央付近となる中央部２２を高くし、中央部２２から左右に延びる左面部２７と右面部２８とを、それぞれ、中央部２２から離れるに従って低くし、さらに、最も低い底部２７ａ，２８ａから外縁２７ｂ，２８ｂ側にかけて、徐々に高くするように構成されている。ワープ通路１７の出口１７ｂは、中央部２２側に向いて、左面部２７の外縁２７ｂ付近に配設されている。そして、中央部２２は、開放流入口５０の前側に位置する前側部２３に、開放流入口５０への流入を補助するように開放流入口５０の開口面積を前方側に広げる案内口２３ａを設けて構成されている。案内口２３ａの前側には、案内口２３ａへの遊技球Ｂの後方側への転動を僅かに邪魔するように、小さな突起２３ｂが設けられている。
【００２８】
また、上ステージ２０の後縁側には、図１，２に示すように、図柄表示装置１４側との境界として、背面壁３０が左右方向に沿って上方に突設され、背面壁３０の左右方向の中央に開放流入口５０が開口している。この開放流入口５０は、案内口２３ａとともに、左右方向の開口寸法ＷＨを、一個分の遊技球Ｂの直径寸法より僅かに大きな寸法（図７のＡ参照）としている。
【００２９】
また、上ステージ２０の上転動面２１の前縁側には、図２に示すように、底部２７ａ，２８ａより外縁２７ｂ，２８ｂ側のエリアに、下ステージ３２と区画するための仕切壁４０，４１が左右方向に沿って配設されている。また、底部２７ａ，２８ａ間の上転動面２１の前縁側には、下降時のリフト６０側への遊技球Ｂの落下を防止する突条２６が突設されている。さらに、突条２６の前方側におけるリフト６０の配設部位を除いたエリアでは、上ステージ２０と下ステージ３２とを区画する区画壁３９が、上転動面２１より上方に突出するように配設されている。
【００３０】
ステージ部１９の下ステージ３２は、図２，４に示すように、上面側で遊技球Ｂを転動可能な下転動面３３を備え、下転動面３３は、左右方向の中央付近となる中央部３４を低くし、中央部の左右両側を高くするように構成され、左右の外縁３３ａ，３３ｂに至る途中で、上ステージ２０の上転動面２１における左面部２７と右面部２８との底部２７ａ，２８ａ付近から、上転動面２１と略面一の同じ曲面として構成されている。中央部３４の後方側には、区画壁３９の収納孔３９ａに収納された状態から上下往復移動を繰り返すリフト６０が配設されている。そして、中央部３４には、図４や図６のＡに示すように、前部側に配置される二つの前下がりの傾斜面３６，３６と、後部側に配置されて遊技球Ｂをリフト６０の支持面６１側に案内可能な後下がりの一つの案内面３５と、が配設されている。二つの傾斜面３６，３６は、遊技球Ｂを下ステージ３２の前縁から飾り枠体１３（センター役物１６）外の下方へ自由落下させて排出する排出路４４を構成するものであり、二つの傾斜面３６，３６の間には、下方の始動入賞口９に入賞するように自由落下することを邪魔するように、小さな突起３７が形成されている。また、下転動面３３の前縁側には、傾斜面３６，３６と突起３７とが配設されたエリアを除いて、すなわち、排出路４４のエリアを除いて、遊技球Ｂの前方側への落下を防止可能な突条４２，４３が、小さな突出量として、上方に突設されている。
【００３１】
また、上ステージ２０の底部２７ａ，２８ａの前方側には、仕切壁４０，４１と区画壁３９との間に、上転動面２１から下ステージ３２の下転動面３３に遊技球Ｂを転動させる連通口４７，４７が形成されている。
【００３２】
そして、遊技球Ｂが、図４に示すように、リフト６０の支持面６１で支持されて上転動面２１の中央部２２まで持ち上げられ、開放流入口５０に流入しなかった場合には、その遊技球Ｂは、図２に示すように、左面部２７若しくは右面部２８を底部２７ａ，２８ａ付近まで転動し、連通口４７，４７を経て、底部２７ａ，２８ａから下ステージ３２の下転動面３３に転動し、そして、中央部３４のリフト６０付近まで転動し、排出路４４から排出されなければ、再度、リフト６０で持ち上げられて循環するようなループ動作する場合が生ずる。すなわち、左面部２７や右面部２８は、下転動面３３とともに、連通口４７，４７を利用して、遊技球Ｂをループ動作で戻すような戻しルート４６を構成している。
【００３３】
リフト６０は、図３〜５に示すように、遊技球Ｂを、上面側の支持面６１上に載せて下ステージ３２側から上ステージ２０側まで上昇可能として、上下往復移動を繰り返すものであり、実施形態の場合には、飾り枠体１３の内部に配設された一つの電動モータ７６を駆動源とした駆動機構７５により、上下往復移動を繰り返している。
【００３４】
駆動機構７５は、簡単に説明すると、図８に示すように、電動モータ７６の駆動軸７６ａに設けた偏心カム７７、左右方向に往復移動可能に飾り枠体１３内で支持されたカムレバー７８，７８Ｒ、上下方向に回動可能に飾り枠体１３内で支持されたクランク８０，８０Ｒ、リンク７９，７９Ｒを備えて構成されている。そして、駆動機構７５の作動時には、電動モータ７６の駆動軸７６ａが回転駆動することにより、偏心カム７７のピン７７ａを摺動させる摺動溝７８ａを有したカムレバー７８が、左右方向に往復移動し、カムレバー７８の先端７８ｂとクランク８０の下アーム８０ｂの先端とに回転自在に軸支されたリンク７９を介して、クランク８０を軸支部８０ａ回りで、上下方向に揺動させる。そして、クランク８０が上下に揺動すれば、クランク８０の上アーム８０ｃの先端のピン８０ｄを摺動溝部６７内で左右に摺動させていたリフト６０が、上下往復移動することとなる。なお、リフト６０の右側のクランク８０Ｒ、リンク７９Ｒ、及び、カムレバー７８Ｒは、電動モータ７６の駆動力が直接作用しないものの、左側のクランク８０、リンク７９、及び、カムレバー７８と、略左右対称形に配設されて同様な動作を行って、リフト６０をバランス良く上下往復移動させるように、配設されている。また、図８に示す符号８２の部材は、カムレバー７８，７８Ｒの左右方向の往復移動を支持する支持ガイドであり、符号８３の部材は、クランク８０，８０Ｒを回動自在に支持する支持軸であり、これらの支持ガイド８２や支持軸８３は、飾り枠体１３の内部の部位に配設固定されている。さらに、リフト６０は、区画壁３９の収納孔３９ａの内周面３９ｂに案内されて（図７のＡ参照）、上下往復移動することとなる。
【００３５】
リフト６０は、図８に示すように、略長方形板状として、上面の全域を支持面６１として構成されている。そして、支持面６１の左右方向の幅寸法ＷＬは、図７のＡに示すように、開放流入口５０の左右方向の開口寸法ＷＨと、上ステージ２０の戻しルート４６における開放流入口５０の左右にそれぞれ隣接する少なくとも遊技球Ｂの１個の直径寸法分とした隣接エリア２４，２５の左右方向の幅寸法ＷＡ，ＷＡと、を合わせた寸法以上として、開放流入口５０の前側に配置されている。なお、実施形態の支持面６１の左右方向の幅寸法ＷＬは、遊技球Ｂの直径寸法の約４倍の寸法に設定されている。また、支持面６１の前後方向の奥行寸法ＤＬは、上転動面２１や下転動面３３の奥行寸法ＤＲと略等しく、遊技球Ｂの１個の直径寸法より僅かに大きな寸法としている（図６のＡ参照）。
【００３６】
また、リフト６０は、図６のＡに示すように、最下降時の支持面６１の前縁６１ａを、下ステージ３２の下転動面３３の中央部３４を転動する遊技球Ｂを受け入れ可能な高さ位置に配置させ、かつ、図６のＢに示すように、最上昇時の支持面６１の後縁６１ｂ側を、開放流入口５０の下縁付近の高さ位置に配置させるように、支持面６１を上下動可能に配設されている。なお、実施形態の場合、支持面６１は、最下降時の前縁６１ａを、下ステージ３２の中央部３４の案内面３５に連なるように、設定され、最上昇時の支持面６１の後縁６１ｂは、実施形態の場合、突条２６を僅かに超えた上方に配置されるように設定されている。
【００３７】
そして、リフト６０は、図６〜８に示すように、支持面６１が、リフト６０の最上昇時に、開放流入口５０と左右の隣接エリア２４，２５とにわたる前側に、後縁６１ｂを配置させて、支持した遊技球Ｂを、開放流入口５０若しくは左右の隣接エリア２４，２５に転動可能に、後下がりで、かつ、左右に揺動可能に支持するように、下方へ凹む凹面として、形成されている。さらに、実施形態の場合には、支持面６１が、開放流入口５０の前側の部位に、左右方向に沿う鉛直断面で最も低く凹む中央底部６２を設け、中央底部６２から左右両側に離れる左縁部６３や右縁部６４に従って高くなるような凹面として、形成されている。実施形態の場合、支持面６１は、円弧の曲面の一部から構成され、その半径寸法ＲＬ（図７のＡ参照）は、遊技球Ｂの直径寸法の２０〜４０倍程度の２００〜４００ｍｍ程度としている。
【００３８】
さらに、リフト６０には、図４，５に示すように、最上昇位置への配置時に、下ステージ３２の下転動面３３における中央部３４の案内面３５からリフト６０側に転動する遊技球Ｂを分岐通路５３を経て入賞補助通路４９の流出側通路５２へ流入可能に開口する開閉流入口５５が、開口している。この開閉流入口５５は、図２，３に示すように、リフト６０の下降時には、下ステージ３２の下転動面３３の案内面３５の下方に隠れるように形成され、実施形態の場合、上縁側を半円形に開口させて、リフト６０の下縁まで開口させた長穴状としている。そのため、実施形態のリフト６０は、正面視として、上面を支持面６１とした天井壁部６５と、天井壁部６５の左右両側から開閉流入口５５を間にして下方に延びる左右の支持脚部６６，６６と、を備えた門型（逆Ｕ字形）に形成されている（図８参照）。開閉流入口５５の左右方向の開口寸法は、開放流入口５０の左右方向の開口寸法ＷＨと等しくして（図７のＣ参照）、遊技球Ｂの略直径寸法分より僅かに大きな寸法に設定されている。
【００３９】
なお、リフト６０を上下動させる駆動機構７５のクランク８６，８６Ｒのピン８０ｄが摺動する摺動溝部６７は、天井壁部６５の後面側に設けられている。
【００４０】
さらに、リフト６０の下部側における左右の支持脚部６６，６６の相互の対向部位には、図６〜８に示すように、略半円板形状の干渉部７１，７１が形成されている。各干渉部７１は、リフト６０を形成した合成樹脂等の形成材料で一体的に形成されて、相互に接近するように配設されている。そして、干渉部７１，７１は、入賞補助通路４９の周壁に設けられたスリット５４を経て流出側通路５２の内周側に延びるように配設されて、流出側通路５２内を通過する遊技球Ｂを減速させて流出口５１側へ案内可能に、遊技球Ｂに接触するように配設されている。この干渉部７１は、リフト６０の最上方位置の配置時から、下転動面３３の案内面３５から上方に開口している開閉流入口５５が、開口面積をほぼ半分程度まで狭める高さ位置まで下降する際（図５，７のＣ，Ｂ参照）、流出側通路５２の左右両側から流出側通路５２の中心側へ延びるように配設されている。そして、流出側通路５２を通過する遊技球Ｂが、干渉部７１，７１に接触すれば、停止するまで減速されて、リフト６０の更なる下降に伴い（図５，７のＣ，Ｂ，Ａ参照）、干渉部７１，７１が遊技球Ｂの前面側から下方に移動して、遊技球Ｂは、減速された状態で流出口５１側に転動し、落下する放物線を始動入賞口９へ入賞し易い軌跡として、始動入賞口９に入賞する確率を高めて、流出口５１から流出（落下）することとなる（図６のＢ参照）。
【００４１】
実施形態の遊技機１の作動を説明すれば、電源オンとともに、リフト６０が、駆動機構７５の作動によって上下往復移動を繰り返すこととなり、そして、遊技時、ワープ通路１７の入口１７ａに遊技球Ｂが入球されれば、遊技球Ｂは、出口１７ｂから上ステージ２０の上転動面２１の左面部２７を中央部２２側に駆け上がるように転動する（図３，４参照）。そして、遊技球Ｂが、開放流入口５０に流入しなければ、その後、戻しルート４６を経て、例えば、右面部２８の底部２８ａから下ステージ３２の下転動面３３に転動し、中央部３４のエリアに到達して、案内面３５上に載り、その際、リフト６０が最下降時に配置されていれば、支持面６１上に案内されて、リフト６０とともに上昇する。この時、図５のＡ，Ｂ，Ｃや図７のＡ，Ｂ，Ｃに示すように、リフト６０に載った遊技球Ｂは、支持面６１上を左右に揺動しつつ上昇し、リフト６０が支持面６１を上ステージ２０側の最上昇位置に配置させれば、支持面６１上から開放流入口５０若しくは隣接エリア２４，２５に転動する。そして、遊技球Ｂは、開放流入口５０に流入しなければ、戻しルート４６を経て、下流側の下ステージ３２の中央部３４のエリアにおける案内面３５上に載り、その際、リフト６０が上昇して、開閉流入口５５が開口していれば、開閉流入口５５に流入する（図６のＢ参照）。あるいは、遊技球Ｂが案内面３５上に載った際に、リフト６０が最下降位置に配置されていれば、再度、リフト６０の支持面６１で受け止められ（図６のＡ参照）、そして、上ステージ２０側に移送され、開放流入口５０に流入するか、あるいは、戻しルート４６を経て、リフト６０付近まで戻され、開閉流入口５５に流入するか、排出路４４から排出される、あるいは、再度、リフト６０で移送されて既述のループ動作を行うこととなって、排出路４４から排出される場合を除いて、開放流入口５０若しくは開閉流入口５５に流入可能となる。そして、これらの開放流入口５０や開閉流入口５５に遊技球Ｂが流入すれば、既述したように、遊技球Ｂは、自重により、流出口５１まで転動し、流出口５１から始動入賞口９側へ流出されることとなる。
【００４２】
以上のように、実施形態の遊技機１では、常時開口する開放流入口５０と、開閉を繰り返して開口時に遊技球Ｂを流入可能としかつ閉口時に遊技球Ｂを流入不能とする開閉流入口５５と、の二種類の流入口を備えて構成されており、ステージ部１９上の遊技球Ｂが、一方の流入口に流入しなくとも、他方の流入口に流入可能となり、入賞補助通路４９への遊技球Ｂの流入の期待感を向上させることができる。
【００４３】
そして、二種類の流入口の一方が、常時開口する開放流入口５０と相違して、開閉を繰り返して開口時に遊技球Ｂを流入可能としかつ閉口時に遊技球Ｂを流入不能とする開閉流入口５５としている。すなわち、この開閉流入口５５は、常時開口している訳ではなく、開閉を繰り返しており、開口時のタイミングに遊技球Ｂが開口面５５ａに位置しなければ、入賞補助通路４９内に流入しないことから、遊技球Ｂが開閉流入口５５を通過する際に、遊技者にハラハラドキドキさせることとなる。
【００４４】
したがって、実施形態の遊技機１では、開閉流入口５５により、ステージ部１９の下方の始動入賞口９への入賞の期待感を向上させることができるとともに、開閉流入口５５の開閉のタイミングによって、遊技者にハラハラドキドキさせることとなって、遊技の趣向性を一層向上させることができる。
【００４５】
そして、実施形態では、開閉流入口５５が、上ステージ２０側に配置された開放流入口５０より遊技球Ｂの転動する下流側の下ステージ３２側に配置されて、下ステージ３２の案内面３５上から、流入可能に配設されている。そのため、ステージ部１９の上ステージ２０上を転動する遊技球Ｂが、開放流入口５０に流入せずに、下流側の開閉流入口５５の部位（中央部３４）に転動してくる際、開閉流入口５５に流入しなければ、中央部２２の排出路４４から排出される可能性が高まり、そして、開口時の開閉流入口５５へ流入すれば、排出路４４からの排出を防止されることとなって、開閉流入口５５の開閉動作が注目され、一層、遊技者にハラハラドキドキさせることができ、遊技の趣向性を一層向上させることができる。
【００４６】
なお、上記の点を考慮しなければ、開閉流入口５５は、開放流入口５０より遊技球の転動する上流側に配設させてもよい。この場合、例えば、ワープ通路１７の出口１７ｂ付近の左面部２７に、開閉流入口５５を設けることができる。すなわち、左面部２７に入賞補助通路４９に連通する開口を設け、さらに、その開口周縁に、開口を開閉可能とするように開閉シャッタを設ければ、センター役物１６に遊技球Ｂが流入する際の入球口（ワープ通路）１７に近い、すなわち、上ステージ２０の中央部２２の開放流入口５０より、遊技球Ｂの上流側となる部位の左面部２７に、開閉流入口５５を配設することができる。
【００４７】
そして、実施形態では、ステージ部１９が、遊技球Ｂの転動する上流側となる上ステージ２０と、上ステージ２０の下方に配置されて、遊技球Ｂの転動する下流側となる下ステージ３２と、の二つのステージ２０，３２を備えて構成されて、開放流入口５０を、上ステージ２０側に配設させている。さらに、センター役物１６が、下ステージ３２側の遊技球Ｂを受け止めて、上ステージ２０側における開放流入口５０に流入可能とする遊技球Ｂの転動する上流側に移送可能に、移送動作を繰り返すリフト６０と、開放流入口５０の周囲における開放流入口５０に流入しなかった遊技球Ｂを、上ステージ２０から下ステージ３２におけるリフト６０の遊技球Ｂの受止エリア（案内面３５や支持面６１）まで転動させて戻し可能な戻しルート４６と、を設けて構成されている。そして、開閉流入口５５が、閉口時に、遊技球Ｂをリフトの受止エリア（案内面３５や支持面６１）に転動可能に、下ステージ３２側に配設されている。
【００４８】
そのため、実施形態では、遊技球Ｂが、上ステージ２０の開放流入口５０に流入せず、また、下流側の下ステージ３２の開閉流入口５５にも流入しなかった場合でも、開放流入口５０への流入を可能に、リフト６０により、再度、上ステージ２０側に移送されて、開放流入口５０への流入、あるいは、開放流入口５０に流入しなくとも、戻しルート４６を経て、開閉流入口５５への流入の可能性が生じ、さらに、リフト６０が移送動作を繰り返して、上記の戻しルート４６を利用して、遊技球Ｂが、排出路４４から排出する場合を除いて、ループ動作で入賞補助通路４９へ流入する可能性が生じ、遊技者に、始動入賞口９への入賞の期待感を、一層、与えることができ、遊技の趣向性が向上する。
【００４９】
さらにこの場合、実施形態のように、開閉流入口５５が、リフト６０の移送動作に伴って開閉するように、開口面５５ａをリフト６０に配設させていれば、リフト６０の上ステージ２０側への移送動作中に、開口面５５ａを開口させることとなり、リフト６０で上ステージ２０側に移送されなかった下ステージ３２側の遊技球Ｂを、開閉流入口５５から入賞補助通路４９へ流入させることが可能となる。そして、この開口面５５ａが開口して閉じるまでの間のリフト６０の移送動作中に、下ステージ３２を転動する遊技球Ｂが開閉流入口５５に流入するか否かと、遊技者にハラハラドキドキさせることとなって、遊技の趣向性を向上させることができる。
【００５０】
この場合、実施形態では、遊技球Ｂを載せて支持する支持面６１を上下往復移動させる上下往復移動タイプのリフト６０を例示したが、回転するロータに遊技球を保持可能なマグネット、バケット、羽根等を設けた循環回転タイプのリフトを使用してもよい。例えば、図９〜１１に示すリフト９０では、回転するロータ９１に遊技球Ｂを保持可能なマグネット９２を設けるとともに、開閉流入口５５Ａを、リフト９０の回転中心軸Ｃの軸直交方向に沿って、リフト９０を貫通するように配設させている。このリフト９０は、左右方向に沿って回転中心軸Ｃを配置させて、その回転中心軸Ｃ周りにおける前面側を、上方側に向け、さらに、後方側に向けるような後方回転で回転し、開閉流入口５５Ａの両端の開口面５５ａの一方が、下ステージ３２の案内面３５（受止エリア）側で開口した際、案内面３５から転動する遊技球Ｂを流入させて、他方の開口面５５ａから入賞補助通路４９側に流出することとなり、下ステージ３２や上ステージ２０に開口面５５ａが覆われる際に、開閉流入口５５Ａが閉口することとなる。
【００５１】
そして、開閉流入口５５Ａの閉口時には、ロータ９１の外周面における開口面５５ａ，５５ａ間の保持面９１ａに設けられたマグネット９２が、下ステージ３２の案内面３５に配置されている遊技球Ｂを吸着して保持する。そして、遊技球Ｂは、リフト９０の後方回転に伴って上ステージ２０側に移送され、突条２６で切り離されるようにリフト９０の保持面９１ａから分離し、開放流入口５０若しくは隣接エリア２４，２５に転動することとなる。
【００５２】
このようなリフト９０でも、開閉流入口５５Ａが、リフト９０の移送動作に伴って開閉するように、開口面５５ａをリフト９０に配設させており、リフト９０の上ステージ２０側への移送動作中に、開口面５５ａを開口させることとなり、リフト９０で上ステージ２０側に移送されなかった下ステージ３２側の遊技球Ｂを、開閉流入口５５Ａから入賞補助通路４９へ流入させることが可能となる。そして、この開口面５５ａが開口して閉じるまでの間のリフト９０の移送動作中に、下ステージ３２を転動する遊技球Ｂが開閉流入口５５Ａに流入するか否かと、遊技者にハラハラドキドキさせることとなって、遊技の趣向性を向上させることができる。
【００５３】
但し、循環回転タイプのリフト９０より、実施形態の上下往復移動タイプのリフト６０を使用すれば、遊技球Ｂが通過可能な遊技球Ｂの略直径寸法分より僅かに大きな前後方向の幅寸法（奥行寸法）ＤＬとして、リフト６０を構成でき（図６のＡ参照）、開閉流入口５５を設けたリフト６０を、コンパクトにステージ部１９に配設することができ、前後方向の幅寸法に制限のあるステージ部１９に好適となる。ちなみに、循環回転タイプのリフト９０を使用する場合には、遊技球Ｂが通過する通路を確保するように、少なくとも、遊技球Ｂの直径寸法の少なくとも２倍程度以上の直径寸法となり、さらに、遊技球Ｂを移送するためのマグネット９２やバケット等を設けるスペースを考慮すれば、前後方向の占有スペースが大きくなってしまう。
【００５４】
また、実施形態の遊技機１では、リフト６０の最下降時の支持面６１の前側における下ステージ３２の下転動面３３における中央部３４の前後の部位に、下ステージ３２から下方の始動入賞口９側に自由落下させる排出路４４を構成する前下がりの傾斜面３６，３６と、遊技球Ｂをリフト６０の支持面６１側に案内可能な後下がりの案内面３５と、が配設されている（図４，６参照）。そのため、下ステージ３２の下転動面３３を遊技球Ｂが転動する際、遊技球Ｂが、案内面３５を経てリフト６０に載るか、あるいは、排出路４４を経て下ステージ３２から落下するかと、遊技者にハラハラドキドキさせることとなって、一層、遊技の趣向性を向上させることができる。
【００５５】
なお、開閉流入口は、リフトを設けない遊技機に適用してもよく、例えば、図１２〜１４に示すように、リフト９０からマグネット９２を除いた状態の円筒状の構成の回転体９５を利用し、その回転体９５の開閉流入口５５Ａを利用して、下ステージ３２の案内面３５に載った遊技球Ｂを入賞補助通路４９に流入させるように構成してもよい。なお、この回転体９５では、後面側を、上向きにし、さらに前方側に向けるような前方回転で回転駆動させればよい。そして、開口面５５ａから流入した遊技球Ｂは、回転体９５の内部に一旦溜まり、下方に向いた開口面５５ａから下方に落下して、入賞補助通路４９に流出されることとなる。
【００５６】
さらに、実施形態では、上下往復移動するリフト６０には、下部に、入賞補助通路４９の流出側通路５２の内周側に延びて、流出側通路５２内の遊技球Ｂを減速させて流出口５１側へ案内可能に、遊技球Ｂに接触する干渉部７１が、配設されている。すなわち、入賞補助通路４９の流出側通路５２を通過する遊技球Ｂが、干渉部７１に接触して減速するため（図５，７のＣ，Ｂ参照）、流出口５１から流出する遊技球Ｂが、始動入賞口９への入球確率を高めることができ、このため、開放流入口５０や開閉流入口５５の存在感を高めて、開放流入口５０や開閉流入口５５へ入るか否かと一層遊技者にハラハラドキドキさせることができ、遊技の趣向性を向上させることができる。そしてまた、このような構成では、流出側通路５２を通過する遊技球Ｂに接触させて遊技球Ｂを減速させる干渉部７１を、上下動を繰り返すリフト６０に、設けており、別途、干渉部７１を配設しなくともよく、部品点数を少なく構成できる。そして特に、干渉部７１が、上下動を繰り返すリフト６０に配設されていれば、干渉部７１の遊技球Ｂに接触するタイミングや接触の程度を、リフト６０の上下動に伴って種々設定でき、遊技球Ｂの減速の有無や減速の程度の調整や設定を、容易に行うことができる。
【００５７】
なお、実施形態では、干渉部７１の構成として、リフト６０の最上方位置の配置時から、下転動面３３の案内面３５から上方に開口している開閉流入口５５が、開口面積をほぼ半分程度まで狭める高さ位置まで下降する際、流出側通路５２の左右両側から流出側通路５２の中心側へ延びるように配設されている（図５，７のＣ，Ｂ参照）。そして、流出側通路５２を通過する遊技球Ｂは、リフト６０の上昇時に、干渉部７１，７１に接触して停止する構成として、リフト６０の下降に伴い、干渉部７１，７１が遊技球Ｂの前面側から下方に移動して、遊技球Ｂは、減速された状態で流出口５１側に転動し、落下する放物線を始動入賞口９へ入賞し易い軌跡として、始動入賞口９に入賞する確率を高めて、流出口５１から流出している。すなわち、リフト６０の最上昇時に、流出側通路５２に干渉部７１，７１を配置させて、リフト６０の最下降時に、干渉部７１，７１を流出側通路５２から離脱させる構成とし、リフト６０の最上昇時に、支持面６１上で支持した遊技球Ｂが、開放流入口５０に流入して直ちに、流出側通路５２を流出口５１側に転動する際、あるいは、リフト６０の上昇に伴って開口した開閉流入口５５から遊技球Ｂが流入しても、それらの遊技球Ｂを干渉部７１，７１が受け止めて、そして、リフト６０の下降に伴って、それらの遊技球Ｂを減速させた状態で流出口５１側に転動でき、リフト６０で持ち上げた遊技球Ｂや開閉流入口５５に流入した遊技球Ｂを、始動入賞口９への入賞確率をより高めた安定した速度で、流出口５１から流出させることができる。
【００５８】
上記の点を考慮しなければ、図１５，１６に示す干渉部７１Ａ、７１Ａのように、リフト６０の最下降時付近において、入賞補助通路４９の周壁にスリット５４を経て流出側通路５２の内周側に侵入して、流出口５１側へ通過する遊技球Ｂを減速させるように停止させ、そして、リフト６０の上昇時、停止させた遊技球Ｂの前面から上方に離脱して、減速させた状態で遊技球Ｂを流出口５１側に転動させるように構成してもよい。
【００５９】
なお、実施形態の干渉部７１は、リフト６０の最下降時の時期付近に流出側通路５２を通過する遊技球Ｂには接触せず、その遊技球Ｂを減速できないように設定されている。また、図１５，１６に示す干渉部７１Ａは、リフト６０の最上昇時の時期付近に流出側通路５２を通過する遊技球Ｂには接触せず、その遊技球Ｂを減速できないように設定されている。
【００６０】
上記の点を改良する場合には、図１７，１８に示すように、リフト６０の最上昇位置付近と最下降位置付近とにおいて、流出側通路５２を通過する遊技球Ｂと接触可能な干渉部７１Ｂ，７１Ｂを、リフト６０に設けてもよい。この干渉部７１Ｂ，７１Ｂは、ある程度の形状保持性を有して弾性変形可能なゴムや合成樹脂から形成される薄肉状のヒレ部７２，７２から構成されている。そして、各ヒレ部７２，７２は、入賞補助通路４９の周壁のスリット５４を経て流出側通路５２内に侵入して、リフト６０が最上昇位置付近と最下降位置付近とに配置される際に、流出側通路５２を通過する遊技球Ｂと接触可能な二つの凸板部７２ａ，７２ｂを備えるとともに、凸板部７２ａ，７２ｂ間に、左右のヒレ部７２，７２間に遊技球Ｂの外径寸法より僅かに大きな開口を形成可能な凹部７２ｃを設けて構成されている。
【００６１】
このような干渉部７１Ｂ，７１Ｂでは、流出側通路５２を流出口５１側に通過する遊技球Ｂが、凸板部７２ａ，７２ｂに当たって減速されるように停止され、遊技球Ｂの前面側から凸板部７２ａ，７２ｂが離脱して、遊技球Ｂが減速された状態で、流出口５１側に転動したり、あるいは、遊技球Ｂが、左右の凹部７２ｃ，７２ｃ間をヒレ部７２，７２に接触せずに通過して、減速されずに流出口５１側に転動する。さらに、ヒレ部７２の凸板部７２ａ，７２ｂの一部に接触して、遊技球Ｂが、ヒレ部７２の一部を弾性変形させるように撓ませつつ、減速する程度を少なくして、流出口５１側に転動させることができる。このような干渉部７１Ｂでは、リフト６０の上下往復移動する際のタイミングに応じて、遊技球Ｂの減速の程度を異ならせて、遊技球Ｂを流出口５１側に転動させることができる。
【００６２】
なお、実施形態では、開閉流入口５５の下方に干渉部７１を設けた場合を示したが、勿論、干渉部７１，７１Ａ，７１Ｂを設けずに、開閉流入口５５を設けるようにリフト６０を構成してもよい。
【００６３】
また、実施形態では、デジパチタイプの遊技機１について説明したが、デジパチタイプ以外のセンター役物のあるハネモノタイプのパチンコ遊技機等に、本発明を適用してもよい。
【００６４】
さらに、実施形態では、ステージ部１９への遊技球Ｂの入球が、パイプ状のワープ通路１７からなる入球口を使用して行われる場合を例示したが、単に、飾り枠体１３の内外を貫通する入球口を利用して、ステージ部１９上に遊技球Ｂを入球させるように構成してもよい。
【００６５】
さらにまた、リフト６０，９０や回転体９５、あるいは、ステージ部１９の中央部２２，３４付近は、内部を通過する遊技球Ｂを視認できるように、ある程度の透明度を有した合成樹脂材料等からなる透明体（若しくは半透明体）から形成してもよい。
【図面の簡単な説明】
【００６６】
【図１】本発明の一実施形態のパチンコ遊技機における遊技盤面を示す概略正面図である。
【図２】実施形態のセンター役物を示す左方から見た概略斜視図であり、リフトの最下降時の状態を示す。
【図３】実施形態のセンター役物を示す右方から見た概略斜視図であり、リフトの最下降時の状態を示す。
【図４】実施形態のセンター役物を示す右方から見た概略斜視図であり、リフトの上昇時の状態を示す。
【図５】実施形態のリフト付近の概略正面図であり、最下降位置から最上昇位置まで上昇する状態を順に示す。
【図６】実施形態のリフト付近における図５のＡのVI−VI部位に対応する前後方向に沿った概略縦断面図であり、リフトの最下降時と最上昇時との状態を示す。
【図７】実施形態のリフト付近における図６のＡのVII−VII部位に対応する左右方向に沿った概略縦断面図であり、リフトの最下降位置から最上昇位置まで順に上昇する状態を示す。
【図８】実施形態のリフトとその駆動機構を示す概略斜視図である。
【図９】実施形態の変形例のリフトを使用したセンター役物の概略斜視図であり、開閉流入口の閉口時の状態を示す。
【図１０】図９に示すリフトを使用したセンター役物の概略斜視図であり、開閉流入口の開口時の状態を示す。
【図１１】図９に示すリフトを使用した遊技機のリフト付近における前後方向に沿った概略縦断面図であり、開閉流入口の開口状態と閉口状態とを示す。
【図１２】実施形態の他の変形例の開閉流入口の閉口時を示すセンター役物の斜視図である。
【図１３】図１２に示す開閉流入口の開口時を示すセンター役物の斜視図である。
【図１４】図１２に示すセンター役物における開閉流入口の開口時と閉口時との状態を示す概略縦断面図である。
【図１５】実施形態のさらに他の変形例のリフトを使用した遊技機のリフト付近の左右方向に沿った概略縦断面図であり、リフトの最下降位置から最上昇位置まで上昇する状態を示す図である。
【図１６】図１５に示すリフトを使用した遊技機のリフト付近における前後方向に沿った概略縦断面図であり、リフトの最下降時と最上昇時との状態を示す。
【図１７】実施形態のさらに他の変形例のリフトを使用した遊技機のリフト付近の左右方向に沿った概略縦断面図であり、リフトの最下降位置から最上昇位置まで上昇する状態を示す図である。
【図１８】図１７に示すリフトを使用した遊技機のリフト付近における前後方向に沿った概略縦断面図であり、リフトの最下降時と最上昇時との状態を示す。
【符号の説明】
【００６７】
１…（パチンコ）遊技機、
９…（始動）入賞口、
１６…センター役物、
１７…（ワープ通路）入球口、
１９…ステージ部、
２０…上ステージ、
３２…下ステージ、
３５…案内面、
３６…傾斜面、
４４…排出路、
４６…戻しルート、
４９…入賞補助通路、
５０…開放流入口、
５１…流出口、
５２…（流出側の部位）流出側通路、
５３…分岐通路、
５５，５５Ａ…開閉流入口、
５５ａ…開口面、
６０，９０…リフト、
６１…支持面、
７１，７１Ａ，７１Ｂ…干渉部、
Ｂ…遊技球。
【図１】
2010017312.tif 000003
【図２】
2010017312.tif 000004
【図３】
2010017312.tif 000005
【図４】
2010017312.tif 000006
【図５】
2010017312.tif 000007
【図６】
2010017312.tif 000008
【図７】
2010017312.tif 000009
【図８】
2010017312.tif 000010
【図９】
2010017312.tif 000011
【図１０】
2010017312.tif 000012
【図１１】
2010017312.tif 000013
【図１２】
2010017312.tif 000014
【図１３】
2010017312.tif 000015
【図１４】
2010017312.tif 000016
【図１５】
2010017312.tif 000017
【図１６】
2010017312.tif 000018
【図１７】
2010017312.tif 000019
【図１８】
2010017312.tif 000020